(57)【要約】【課題】圧縮機本体の吐出管やアキュームレータの流入管と他の配管との接続部分で振動が大きくなったり、破損したりする。【解決手段】本発明の室外機では、圧縮機本体６の下端面およびアキュームレータ７の下端面が、基台１０上にそれぞれ溶接によって固定されている。また、基台１０において、アキュームレータ７が固定される部分が圧縮機本体６が固定される部分より高く構成される。圧縮機本体６およびアキュームレータ７が固定された基台１０と底板２との間には、防振ゴム８が配置される。【選択図】図２
2015105792.tif 000002
【特許請求の範囲】
【請求項１】
圧縮機構およびモータを収容する圧縮機本体と、前記圧縮機本体の側方に配置されたアキュームレータとを有する圧縮機と、
前記圧縮機本体および前記アキュームレータが固定された基台と、
前記基台と底板との間に配置された弾性部材とを備えたことを特徴とする室外機。
【請求項２】
前記圧縮機本体の下端面および前記アキュームレータの下端面が前記基台に固定されており、
前記基台は、前記アキュームレータが固定される部分が、前記基台において前記圧縮機本体が固定される部分より高くなるように構成されることを特徴とする請求項１に記載の室外機。
【発明の詳細な説明】
【技術分野】
【０００１】
本発明は、例えば、圧縮機を備えた室外機に関する。
【背景技術】
【０００２】
従来の室外機では、圧縮機本体と、圧縮機本体の外周面の支持台に対してアキュームレータとを有する圧縮機を備えたものが一般的である。アキュームレータが支持台に対して固定される場合、アキュームレータの下面が圧縮機本体内の圧縮機構に冷媒を供給する吸入管によって支持された状態で、アキュームレータの中央部が支持バネによって支持台に固定される。一方、圧縮機本体は、室外機の底板に対して防振ゴムを介して固定されている。
【先行技術文献】
【特許文献】
【０００３】
【特許文献１】特開平１１−１３６６６号
【発明の概要】
【発明が解決しようとする課題】
【０００４】
この場合、圧縮機本体は室外機の底板によって支持されているのに対し、アキュームレータは、圧縮機本体に吸入管を介して支持されているだけで室外機の底板に支持されてない。したがって、アキュームレータの重量によって圧縮機本体が傾くことがあって、圧縮機本体の吐出管と他の配管との接続部分で振動が大きくなったり、破損したりするという問題がある。また、アキュームレータが圧縮機本体に対して回転するように振動することで、アキュームレータの流入管と他の配管との接続部分で振動が大きくなったり、破損したりするという問題がある。
【０００５】
そこで、本発明の目的は、圧縮機本体の吐出管やアキュームレータの流入管と他の配管との接続部分で振動が大きくなったり、破損したりするのを防止できる圧縮機を提供することである。
【課題を解決するための手段】
【０００６】
第１の発明にかかる室外機は、圧縮機構およびモータを収容する圧縮機本体と、前記圧縮機本体の側方に配置されたアキュームレータとを有する圧縮機と、前記圧縮機本体および前記アキュームレータが固定された基台と、前記基台と底板との間に配置された弾性部材とを備えたことを特徴とする。
【０００７】
この室外機では、圧縮機本体およびアキュームレータのいずれもが基台に固定されているので、アキュームレータの重量によって圧縮機本体が傾くことがなく、圧縮機本体の吐出管と他の配管との接続部分が破損するのを防止できる。また、アキュームレータが圧縮機本体に対して回転するように振動することがなく、アキュームレータの流入管と他の配管との接続部分で振動が大きくなったり、破損したりするのを防止できる。
【０００８】
第２の発明にかかる室外機は、第１の発明にかかる室外機において、前記圧縮機本体の下端面および前記アキュームレータの下端面が前記基台に固定されており、前記基台は、前記アキュームレータが固定される部分が、前記基台において前記圧縮機本体が固定される部分より高くなるように構成されることを特徴とする。
【０００９】
この室外機では、基台においてアキュームレータが固定される部分が圧縮機本体が固定される部分より高くなるように構成されるので、アキュームレータの外周面において、吸入管をアキュームレータの下面近くに取り付けることができる。したがって、アキュームレータ内におけるアキュームレータ出口管の油戻し穴をアキュームレータの下面近くに取り付けることができ、圧縮機本体に油を効果的に戻すことができる。
【発明の効果】
【００１０】
以上の説明に述べたように、本発明によれば、以下の効果が得られる。
【００１１】
第１の発明では、圧縮機本体およびアキュームレータのいずれもが基台に固定されているので、アキュームレータの重量によって圧縮機本体が傾くことがなく、圧縮機本体の吐出管と他の配管との接続部分が破損するのを防止できる。また、アキュームレータが圧縮機本体に対して回転するように振動することがなく、アキュームレータの流入管と他の配管との接続部分で振動が大きくなったり、破損したりするのを防止できる。
【００１２】
第２の発明では、基台においてアキュームレータが固定される部分が圧縮機本体が固定される部分より高くなるように構成されるので、アキュームレータの外周面において、吸入管をアキュームレータの下面近くに取り付けることができる。したがって、アキュームレータ内におけるアキュームレータ出口管の油戻し穴をアキュームレータの下面近くに取り付けることができ、圧縮機本体に油を効果的に戻すことができる。
【図面の簡単な説明】
【００１３】
【図１】本発明の実施形態に係る室外機内の斜視図である。
【図２】図１に示す室外機内の側面図である。
【発明を実施するための形態】
【００１４】
以下、図面を参照しつつ本発明に係る室外機の実施の形態について説明する。
【００１５】
図１に示すように、本実施形態の室外機１は、室外機１の底面を構成する底板２と、底板２上に配置される圧縮機３および室外熱交換器４と、室外熱交換器４に対向する送風ファン５とを備えている。圧縮機３は、圧縮機本体６と、圧縮機本体６の側方に配置されたアキュームレータ７とを有している。
【００１６】
圧縮機本体６は、円筒状であり、モータや圧縮機構を収容している。モータは、例えばロータとステータを有し、ロータにシャフトが固定されている。圧縮機構は、モータの駆動により圧縮機構内の冷媒を圧縮するものであって、圧縮された冷媒は、圧縮機本体６の上部の略中央に配置された吐出管６ａから吐出される。
【００１７】
アキュームレータ７は、圧縮機構に液冷媒が供給されるのを防止する円筒状容器であり、上部の略中央には入口管７ａが接続されている。アキュームレータ７は、圧縮機本体２の外周面に吸入管７ｂによって接続されている。吸入管７ｂは、圧縮機本体６の外周面に設けられた継手管に挿入された状態で継手管の内周面に溶接されている。また、吸入管７ｂは、アキュームレータ７の側面から内部に挿入されている。したがって、入口管７ａからアキュームレータ７の内部に導入された冷媒は、吸入管７ｂを通って圧縮機本体６の圧縮機構に吸入される。
【００１８】
圧縮機本体６の下端面およびアキュームレータ７の下端面は、基台１０上にそれぞれ溶接によって固定されている。図２に示すように、基台１０において、アキュームレータ７が固定される部分が圧縮機本体６が固定される部分より高く構成される。圧縮機本体６およびアキュームレータ７が固定された基台１０と、底板２の取付台座２ａとの間には、防振ゴム８（弾性部材）が配置される。したがって、基台１０は防振ゴム８を介して底板２に支持される。防振ゴム８は、略円筒状のゴム部材であり、圧縮機本体６からの振動が底板２に伝達されるのを抑制している。本実施形態では、アキュームレータ７を圧縮機本体６の外周面に設けられた支持台に対して固定しなくてもよい。
【００１９】
＜本実施形態の室外機の特徴＞
本実施形態の室外機１では、圧縮機本体６およびアキュームレータ７のいずれもが基台１０上に固定されているので、アキュームレータ７の重量によって圧縮機本体６が傾くことがなく、圧縮機本体６の吐出管６ａと他の配管との接続部分が破損するのを防止できる。また、アキュームレータ７が圧縮機本体６に対して回転するように振動することがなく、アキュームレータ７の流入管７ａと他の配管との接続部分で振動が大きくなったり、破損したりするのを防止できる。
【００２０】
また、本実施形態の室外機１では、基台１０においてアキュームレータ７が固定される部分が圧縮機本体６が固定される部分より高くなるように構成されるので、アキュームレータ７の外周面において、吸入管７ｂをアキュームレータ７の下面近くに取り付けることができる。したがって、アキュームレータ７内において油戻し穴７ｃをアキュームレータ７の下面近くに取り付けることができ、圧縮機本体６に油を効果的に戻すことができる。
【００２１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００２２】
上述の実施形態では、圧縮機本体およびアキュームレータが基台上にそれぞれ溶接によって固定されているが、基台上にそれぞれ溶接以外の方法によって固定されてもよく、固定方法は変更してよい。
【００２３】
また、上述の実施形態では、基台において、アキュームレータが固定される部分が圧縮機本体が固定される部分より高く構成されているが、これに限定されない。したがって、基台において、アキュームレータが固定される部分が圧縮機本体が固定される部分と略同一高さに構成されてもよい。
【００２４】
上述の実施形態では、弾性部材として、基台と底板との間に防振ゴムが配置されているが、防振ゴムの他の弾性部材が配置されてもよい。
【産業上の利用可能性】
【００２５】
本発明を利用すれば、圧縮機本体の吐出管やアキュームレータの流入管と他の配管との接続部分で振動が大きくなったり、破損したりするのを防止できる。
【符号の説明】
【００２６】
１  室外機
２  底板
３  圧縮機
６  圧縮機本体
７  アキュームレータ
８  防振ゴム（弾性部材）
１０  基台
【図１】
2015105792.tif 000003
【図２】
2015105792.tif 000004